Podtech/llm-jp-corpus-v4-ja_patent huggingface dataset:
(57)【要約】【課題】産業廃棄物である蕎麦殻を有効利用し、歩行者や走行者の衝撃を吸収し、足に対してやさしい舗装材料の開発およびその舗装施工方法を提供する。【解決手段】容積比において７号砕石１０〜２５％、砂材１０〜２５％、蕎麦殻４０〜７０％を混合し、この混合物にエポキシ樹脂と硬化剤１０〜２０％をバインダーとして配合したことを特徴とする。【選択図】  図１
2006070681.tif 000002
【特許請求の範囲】
【請求項１】
容積比において７号砕石１０％〜２５％、砂材１０％〜２５％、蕎麦殻４０％〜７０％を混合しバインダーにエポキシ樹脂と硬化剤１０％〜２０％を舗装材料に用いたことを特徴とする舗装施工方法。
【発明の詳細な説明】
【技術分野】
【０００１】この発明は、蕎麦殻入りの舗装材料と舗装施工方法に関するものである。
【背景技術】
【０００２】利用価値の低い木材や農作物の食用に供しない殻や茎などは堆肥あるいは産業廃棄物として処理されている。また植物を再利用する方法として、間伐材をウッドチップに加工して舗装材料に有効利用する技術は広く普及している。ところが、蕎麦殻は薄い皮であり、蕎麦の食用部分以外は一部蕎麦殻枕に利用されるほかは産業廃棄物として処理されることが多く、埋め立て用地の不足や消却処分に際し発生する大気汚染の問題もあり、産業廃棄物の有効利用が求められている。そこで蕎麦殻を舗装材料に有効利用する舗装施工方法を考案した。
【発明の開示】
【発明が解決しようとする課題】
【０００３】農作物の食用部分以外は堆肥あるいは産業廃棄物として処理されている。処理方法は埋め立てあるいは消却処分であるが、埋め立て地の減少や消却による二酸化炭素発生の問題がある。農作物から発生する産業廃棄物のうち、本工法では蕎麦殻を舗装材料の一部として有効利用を図るものであり公害防止を第１の目的とする。【０００４】しかし蕎麦殻は薄い皮で空隙が多く舗装材料としての強度に問題があるため、本発明はこの課題を解決した配合と施工方法を提供することを第２の目的とする。
【課題を解決するための手段】
【０００５】容積比において７号砕石１０％〜２５％、砂材１０％〜２５％、蕎麦殻４０％〜７０％を混合する。この混合材にバインダーとしてエポキシ樹脂と硬化剤１０％〜２０％を混合することを特徴とする舗装材料および舗装施工方法である。【０００６】前記砂材の粒土はふるい目５ｍｍ〜１．２ｍｍサイズに選別された表面乾燥状態が好ましい。７号砕石、蕎麦殻も表面乾燥状態のものを用いる。材料が水分を含むと舗装材料が固化するまでの養生時間が増加し固化不良の原因ともなり、舗装体の劣化をまねくからである。【０００７】前記砂材を容積比において１０％〜２５％、７号砕石を容積比１０％〜２５％、蕎麦殻を容積比４０％〜７０％を混合し、この混合材に容積比１０〜２０％のエポキシ樹脂と硬化剤を混合した舗装材料を敷き均し、転圧する舗装施工方法である。【０００８】蕎麦殻のみを舗装材料に使用すると多量のバインダーが必要となるため、本発明は砕石及び砂材を補足しエポキシ樹脂と硬化剤をバインダーとして舗装材料に使用することで弾力性のある舗装体となり足にもやさし舗装体となる。
【発明の効果】
【０００９】蕎麦殻は一部を除き産業廃棄物として処理されているが、舗装材料として有効利用し、産業廃棄物処理量を減少させることが出来る。【００１０】蕎麦殻を混合することで、舗装材料として弾力性を持つので歩行者の足への衝撃が吸収される。道路や広場及びその他の舗装として適用できる。【００１１】砕石、砂材、蕎麦殻を主材とするため環境にやさしく、蕎麦殻の色が自然にあった舗装となる。
【発明を実施するための最良の形態】以下、この発明の実施の形態について図面を参照して詳細に説明する。【００１２】本発明は、容積比において７号砕石１０％〜２５％、砂材１０％〜２５％、蕎麦殻４０％〜７０％をミキサーで混合する。この混合材にバインダーとしてエポキシ樹脂と硬化剤１０％〜２０％を配合したものである。【００１３】７号砕石、砂材を容積比で合計２０％未満とすると材料のかみ合わせ力が弱く強度が低下する。また、合計５０％を越えると蕎麦殻の持つ柔軟性がなくなり舗装体が固くなりすぎて、歩行者の足への負担が増す。【００１４】７号砕石、砂材、蕎麦殻の配合比率は、施工場所の目的に応じて決定する。たとえば自転車等が多く利用する道路では前記配合比率範囲内で砕石量を多くして、耐久性を重視し、歩行者が多い遊歩道などでは砂材を多くして自然な感触を重視する。【００１５】エポキシ樹脂と硬化剤の容積比は１０％未満の場合は、他の材料を結合する量には不足し、舗装材料の均一な品質が確保出来ず舗装材料の固化が困難な部分が生じる。結果的に舗装体の劣化を招く。【００１６】エポキシ樹脂と硬化剤の容積比が２０％を越えるとバインダーの強度が大きくなり、蕎麦殻の持つ機能が失われる。また舗装材料価格が高くなり、経済性に問題が生じる。【００１７】エポキシ樹脂と硬化剤の硬化反応は外気温に影響されるため摂氏０℃以下の外気温での混合、舗装施工は舗装体の未固化が生じるため施工はしない。【００１８】混合された材料を路盤上に厚さが均一になるよう敷き均す。【００１９】敷き均し後、重量５００Ｋｇ〜８００Ｋｇの転圧機械で１〜２往復転圧する。【００２０】転圧後はエポキシ樹脂硬化後、舗装体として供用する。
【図面の簡単な説明】
【００２１】
【図１】この考案の実施の形態を説明する道路の断面である。
【符号の説明】
【００２２】    １路盤
２蕎麦殻舗装体
【図１】
2006070681.tif 000003
(57)【要約】【課題】本発明は、供給管布設にあたり土工事、牽引や推進、給水管接続、埋戻など施工速度が異なる作業を連続して一日の内に行うとすると、施工速度の速い工種は遅い工種に影響を受けて一日当たりの施工数量が限定されコストが上昇するところから、引き抜きや推進を連続的に施工できるようにしてコスト低減を図ることが課題である。【課題を解決するための手段】供給管の引き抜きや推進を連続的に施工できるようにしするには、ピットがすでに掘削された状態にあることが必要である。このため、掘削面周縁地盤を鉄板等で覆って変形や崩壊を防止することができる覆工材及び土留材の組み合わせから成り立つ簡易覆工土留材を用いて，事前にピットを構築しておく。【選択図】  図２
2006070673.tif 000002
【特許請求の範囲】
【請求項１】
簡易な方法で路面を鉄板で覆い、道路通行に支障を及ぼさずしかも掘削面周縁地盤を鉄板等で覆って変形や崩壊を防止することができる、覆工及び土留材を組み合わせた簡易覆工土留材を用る給管布設のための小規模ピット構築方法。
【発明の詳細な説明】
【技術分野】
【０００１】  本発明は小規模ピットの構築を対象とする。
【背景技術】
【０００２】  水道管や，ガス管等の本管から各家庭に分岐する枝管は従来開削工法により行われてきたが、コスト低減や交通確保の目的から非開削工法が採用される場合がある。非開削工法による場合は、本管上にピットを構築して既設管を引き抜いて布設替えを行う、あるいは新設管を推進するが、これらの施工はピットの掘削が完了するまで待たなければならない。ピットの掘削は時間がかかるが引き抜きや推進は短時間で完了することが多い。このため、引き抜きや推進工は掘削時間待ちを行わざるを得ないところから１日あたりの施工数量に制約を受けてコスト高となるのでコスト低減を行うには事前のピット掘削が不可欠なのである。
【特許文献１】特開平６８−２０１６９  例えば特許文献１には、連結される覆工板相互の横ズレや連続方向のスライドを抑制できて車両の走行性を悪化させることがなく、単位面積当たり重量の軽量化がはかれて、覆工板相互の連結作業を容易に行う軽量覆工板を提供することの方法が記載されている。
【発明の開示】
【発明が解決しようとする課題】
【０００３】  本発明は、供給管布設にあたり土工事、牽引や推進、給水管接続、埋戻など施工速度が異なる作業を連続して一日の内に行うとすると、施工速度の速い工種は遅い工種に影響されて一日当たりの施工数量が限定されコストが上昇するところから、引き抜きや推進を連続的に施工できるようにしてコスト低減を図ることが課題である。
【課題を解決するための手段】
【０００４】  供給管の引き抜きや推進を連続的に施工できるようにしするには、ピットがすでに掘削された状態にあることが必要である。このため、掘削面周縁地盤を鉄板等で覆って変形や崩壊を防止することができる覆工用鉄蓋及び土留材の組み合わせから成り立つ簡易覆工土留材を用いて，事前にピットを構築しておく。
【発明の効果】
【０００５】  覆工土留材を用いるピットの構築は、供給管の布設替えや新設のための既設管引き抜きや推進の１日あたりの施工本数を増加させ、特に給水管における鉛管布設替えコスト低減の効果がある。
【発明を実施するための最良の形態】
【０００６】  道路通行に支障を及ぼさずしかも周辺舗装を沈下させたりすることのないピット構築のため、舗装切断面に添って覆工板受け桁の代わりとなる突起と土留め材設置用突起あるいは孔を配置する鋼製支持枠を設置し、覆工用鉄蓋は下面に桁を溶接して強度を増強し、その鋼製支持枠の突起部に掘削面保持用鉄板等で覆って地盤の変形や崩壊を防止することができる覆工用鉄蓋および土留材を組み合わせて使用する簡易覆工土留材を用いる。【００７】  鉄蓋は支持枠に被せて車重を受けてもよく、支持枠に突起部を設けて支持枠と同一の高さになる形で設置してもよい。【００８】  周縁地盤保持用の土留材は、円形や矩形の形状を問わず施工可能であり、それそれは地上から掘削に合わせて下ろしても良く，掘削がある程度完了した段階でピット内にて組み合わせて鋼製支持枠と連結しても良い。【００９】  鋼製支持枠に連結する土留材は、突起部を設けて連結するのも良く、ピンあるいはボルトなどにより連結しても良く、土留材は１次土留めを設置した後、１次土留め材に連結の後、これに連結して複数設置することができる。
【実施例】
【０１０】  本発明の円形における実施例を図面により説明する。
〔図１〕は円形の場合の覆工平面図である。
支持枠１に鉄蓋２を被せた状態にあり、取っ手３を取り付けることができることを示している。【００１１】  図２は覆工土留材の全体における断面図であり、支持枠２に鉄蓋１を設置し、鉄蓋１は鋼製補強桁４により補強され、支持枠の土留材設置用の突起部５に土留め材６を取付け、さらに土留め材６に土留材７を設置した状態を示す。
【図面の簡単な説明】
【図１】円形の場合の覆工平面図である。
【図２】覆工土留材の全体断面図である。
【符号の説明】
【００１２】１  鉄蓋
２  鋼製支持枠
３  鉄板取っ手
４  鉄蓋補強桁
５  土留材取付用突起
６  １次土留め材
７  ２次土留め材
【図１】
2006070673.tif 000003
【図２】
2006070673.tif 000004
(57)【要約】      （修正有）【課題】男子用小便器のしずく防止方法を提供する。【解決手段】あらゆる男子用小便器１に対し、排便者の股下を通って便器に向かう微風の流れを機械的に作り、小便のしずく５を気流３に乗せて便器に案内し、完全な排尿を行い。同時に空気そのものに殺菌剤及び防臭剤の注入を行い、小便所から発生する非衛生な問題を全て解決する。【選択図】図２
2006070678.tif 000002
【特許請求の範囲】
【請求項１】
男子小便所において、排便者の足元又は後方より排便者の股下付近を通って、小便器の中央に向かう空気の流れをつくり、小便のしずくが全量便器に送入されるよう空気の流れを利用する方法。
【請求項２】
空気を送る手段として用いるファンまたはコンプレッサーの気道管又は、空気を吐き出すノズルに対し、防臭剤又は殺菌剤等の衛生薬剤を注入して、殺菌及び防臭を行う方法。
【請求項３】
空気を圧送する機器の起動及び停止が、人間の接近を感知して自動的に作動するようセンサーを応用する方法。
【発明の詳細な説明】
【発明の詳細な説明】
【技術分野】
【０００１】発明は男子便所における小便所の衛生管理に関するものである。
【背景技術】
【０００２】  従来男子用小便所は可能なかぎり小便を便器が受けるよう、便器の形状で対応している。しかし人間が便器に触れるのを嫌うため、最後の数滴が便器外に落ちてしまい、非衛生的環境を作っているのが現状である。このため便器の形状に改良を加えるとか、マットを敷いて対応する手段がとられている。確実な衛生処置に決め手を欠くのが男子小便所のしずくの問題である。
【発明が解決しようとする課題】
【０００３】  発明は従来又は将来考えられる男子用小便器に対し、空気の流れを利用して完全に小便から発生するしずくを防止し、これから発生する異臭の問題と殺菌の問題を同時に解決することを課題とする。
【課題を解決するための手段】
【０００４】従来男子用小便器には下段、中段、の二種が考えられる。この何れの便器にあっても、人間の股下を通り水平又は斜め上部にある便器に向かって、空気の流れを与えれば、放尿後のしずくは風に乗って便器に案内され、問題は解決する。
【発明の実施形態】
【０００５】男子用小便所は、個人用と数人用と、大勢向けの三種に大別できる。個人向けは、人間が近づけば直接センサーで送風機を起動し停止もでき、大勢用は使用状態が千差万別のため、圧縮空気を便器個々に配管して送風を行う。自動運転の方法は個々に取り付けた自動弁をセンサーで自動開閉しで行う。男子用トイレは開放型が殆どで異臭の問題がある。この問題は送風ラインの空気に薬剤を注入して、空気そのものに防臭及び殺菌の手立てを施しで問題を解決する。
【図面の簡単な説明】
【０００６】以下図面を参照しながら本発明の実施例について説明する。【図１】は従来の男子用小便器と、人間と小便のしずくを表した説明用側面図である。
【図２】は本発明を行った場合、風の流れに乗ったしずくと便器の関係を断面にして説明した図面である。
【符号の説明】
【０００７】１、  男子用小便器            ４、  従来のしずく
２、  人間の排便姿            ５、  気流に乗ったしずく
３、  空気の流れ
【図１】
2006070678.tif 000003
【図２】
2006070678.tif 000004
(57)【要約】      （修正有）【課題】ハシゴ頭部を使用箇所に直接立て掛けても、其の箇所の破損や、横スベリを防ぐハシゴ枕を提供する。【解決手段】ハシゴ枕1は木製で裏面にスベリ止めの合成ゴムを接着固定し、上部にＬ型の角度変則板3及びハシゴ掛け踏み台2を取り付け、従来ハシゴ頭部にフック付ベルトにより締め装着する。【選択図】        図１
2006070677.tif 000002
【特許請求の範囲】
【請求項１】
スベリ止め付ハシゴ枕、角度自在のハシゴ掛け踏み台に従来ハシゴの仔部分に固定して、屋根の先端、樋の間に掛け、樋や屋根の先端を保護と横スベリを防ぐ、安心安全な、スベリ止め付ハシゴ枕。
【請求項２】
ハシゴ枕を自由に角度を変えることの出来る、変則板ハシゴ掛け踏み台を設けた、請求項１記載、スベリ止め付ハシゴ枕。
【発明の詳細な説明】
【発明の詳細な説明】
【発明属する技術分野】
【０００１】  本発明は、従来のハシゴを立掛けた時の保護と安全を図ったハシゴ枕に関する。
【背景技術】
【０００２】  従来のハシゴは、直接立掛けていた。樋、側壁に傷や破損が起こっていた。
【発明が解決しようとする課題】
【０００３】  従来のハシゴは、仕様箇所に直接立掛けていたために屋根、樋、側壁に傷や破損が起こり、横スベリする危険があった。
【課題を解決するための手段】
【０００４】  上記目的を達成するために、本発明のスベリ止め付ハシゴ枕裏に、芝目状態の合成ビニル製を接着固定、枕に角度変則板固定、ハシゴ掛け踏み台に、従来のハシゴに装着する。
【発明を実施するための最良の形態】
【０００５】  本発明の実施の形態を図１〜図３に基づいて説明する。
図１において、ハシゴ枕１は木製でスベリ止め合成ゴム接着固定、Ｌ形付の角度変則板３の変則板に、ハシゴ掛け踏み台２に従来ハシゴをフック付ベルトで締め装着する。
角度変則板３には予め角度を示す印を設けてあり必要な角度で４ハンドル付長ナットネジで締め固定する。
【発明の効果】
【０００６】  上述したように本発明のハシゴ枕は、ハシゴ立掛け箇所の保護と身の安全を重要視成る、効果抜群の発明である。
【図面の簡単な説明】
【図１】    本発明の横断面図
【図２】    本発明の斜視図
【図３】    本発明のハシゴ枕を側壁に立掛けた時の断面図
【符号の説明】
１．  スベリ止め付ハシゴ枕
２．  ハシゴ掛け踏み台
３．  角度変則板
４．  ハンドル付長ナットネジ
５．  角度変軸ボルト
６．  スベリ止め保護マット
【図１】
2006070677.tif 000003
【図２】
2006070677.tif 000004
【図３】
2006070677.tif 000005
(57)【要約】【課題】補強後の耐久性を犠牲にすることなく、施工の単純化、施工時の作業性の向上を可能とした鋼桁橋の補強構造を提供する。【解決手段】鋼桁橋１の補強構造１０は、隣り合う鋼桁１２の対向する端部と、この対向する端部を支承１５を介して支持する橋脚１１とを鉄筋コンクリート１８で剛接合することによりラーメン構造橋とする構成となっている。【選択図】  図１
2006070614.tif 000002
【特許請求の範囲】
【請求項１】
隣り合う鋼桁の対向する端部と、この対向する端部を支承を介して支持する橋脚とを鉄筋コンクリートで剛接合することによりラーメン構造橋とすることを特徴とする鋼桁橋の補強構造。
【請求項２】
上記剛接合する鉄筋コンクリートを上記橋脚の柱部の下端まで巻立てたことを特徴とする請求項１に記載の鋼桁橋の補強構造。
【発明の詳細な説明】
【技術分野】
【０００１】
本発明は、鋼桁主桁連結による鋼桁橋の補強構造に関するものである。
【背景技術】
【０００２】
近年、交通車両の大型化に伴い、供用開始から相当な年月が経過して橋については補強工事が急務となっている。そして、従来一般的な鋼桁橋の補強構造として、鋼桁主桁連結工法による補強構造が知られている（例えば、特許文献１、図８参照。）。
【特許文献１】特開平９−１３３１９号公報
【０００３】
特許文献１には、鋼桁橋の隣接する主桁の両端部側面に鋼板を添設し、この鋼板をボルトで取り付け、隣接する上記主桁同士を連結した鋼桁橋の補強構造が開示されている。
【発明の開示】
【発明が解決しようとする課題】
【０００４】
上記特許文献１に記載の補強構造を採用すると、施行誤差による連結部前後の径間のウェブ、フランジ面のずれ等により、そのまま鋼板、即ち添設板を取り付けることができないことが多く、フィラープレートを用いて調整する必要や、補強材である添設板の切欠き加工が必要になる等の製作、施工面上の問題がある。また、この補強構造を採用すると、橋脚の上端部と主桁の端部下面との間に介在させる支承を鋼製支承からゴム支承に取り替える必要がある。このため、限られた狭い空間での作業、主桁のジャッキアップ時の補強等、作業性の悪い施工を余儀なくされるという問題もある。
【０００５】
本発明は斯かる従来の問題をなくすことを課題とし、補強後の耐久性を犠牲にすることなく、施工の単純化、施工時の作業性の向上を可能とした鋼桁橋の補強構造を提供しようとするものである。
【課題を解決するための手段】
【０００６】
上記課題を解決するために、第１発明は、隣り合う鋼桁の対向する端部と、この対向する端部を支承を介して支持する橋脚とを鉄筋コンクリートで剛接合することによりラーメン構造橋とすることを特徴とする鋼桁橋の補強構造。
【０００７】
第２発明は、上記第１発明の構成に加えて、上記剛接合する鉄筋コンクリートを上記橋脚の柱部の下端まで巻立てた構成とした。
【発明の効果】
【０００８】
第１発明に係る鋼桁橋の補強構造によれば、既設支承を埋設することになり、その撤去の必要がなく、鋼桁の持ち上げ作業もなくなり、施工が極めて単純化され、かつ作業性もよくなるとともに、鋼桁橋の耐久性を向上させることが可能になるという効果を奏する。
【０００９】
第２発明に係る鋼桁橋の補強構造によれば、第１発明の効果に加えて、鋼桁橋の耐震性を向上させることが可能になるという効果を奏する。
【発明を実施するための最良の形態】
【００１０】
次に、本発明の実施形態を図面にしたがって説明する。
図１〜４は、鋼桁橋１に適用された本発明に係るその補強構造１０を示している。鋼桁橋１自体は既設のもので、そこには両端に図示しない橋台が構築され、この両橋台間に１または適宜間隔で複数の橋脚１１が立設されている。そして、橋台と橋脚１１との間、さらに橋脚１１が複数の場合、隣り合う橋脚１１間に鋼桁１２が架設されている。さらに詳しく言えば、橋台上端部上、或いは橋脚１１の柱部１３上に横たわる梁部１４上に、鋼製の支承１５を介して鋼桁１２が載置され、一つの橋脚１１はこの両側に延びる二つの鋼桁１２の対向する端部を支えている。また、鋼桁１２上には、床版１６が配設されている。なお、橋脚１１及び床版１５は鉄筋コンクリートにより形成されている。また、図中、１７はフーチングを示している。
【００１１】
この鋼桁橋１において、橋脚１１の柱部１３から、梁部１４上に支承１５を介して支持された鋼桁１２の対向する端部全体にわたって、鉄筋コンクリート１８を施し、支承１４を埋設した状態で、梁部１４と上記対向する端部を剛接合することにより補強構造１０が形成されており、図中クロスハッチングで示されている。そして、これにより元の鋼桁橋１はラーメン構造橋となっている。
【００１２】
このように、この補強構造１０によれば、支承１５の撤去や取り替えが不要となり、限られた空間で鋼桁１２をジャッキアップする作業も不必要になり、施工の単純化、施工時の作業性の向上が可能となっている。また、橋の上下部をリジッドに一体化するラーメン構造化により橋の耐久性も向上し、この橋における走行性の改善、騒音、振動の低減も可能となっている。
【００１３】
なお、図示する補強構造１０は、橋脚１１の柱部１３全体にわたって鉄筋コンクリート１８が巻立てられており、耐震性の向上が図られているが、本発明はこれに限るものでなく、この鉄筋コンクリート１８は橋脚１１の上部だけに施すようにしてもよい。
【図面の簡単な説明】
【００１４】
【図１】本発明に係る鋼桁橋の補強構造を一部破断して示す垂直に切った断面図である。
【図２】図１のII−II線断面図である。
【図３】図１のIII−III線断面図である。
【図４】図１のIV−IV線断面図である。
【符号の説明】
【００１５】
１  鋼桁橋
１０  補強構造
１１  橋脚
１２  鋼桁
１３  柱部
１４  梁部
１５  支承
１６  床版
１７  フーチング
１８  鉄筋コンクリート
【図１】
2006070614.tif 000003
【図２】
2006070614.tif 000004
【図３】
2006070614.tif 000005
【図４】
2006070614.tif 000006
(57)【要約】      （修正有）【課題】経管栄養カテーテル内腔の汚染、悪臭、感染などの軽減法の提供。【解決手段】１．胃管カテーテルの栄養液注入後（毎食後）の注入溶液０．１％〜２％酢酸溶液５〜１５ｍｌ使用する。２．注入溶液、注入器の滅菌消毒し、透明なカバーで覆う。３．注入溶液、注入器の１回限りの使い捨てとする。４．胃管カテール接続アダプターは、注射回路のジョイントに接続不可能なアダプターとする。【選択図】なし【特許請求の範囲】
【請求項１】
経管栄養カテーテルの栄養液注入後の経管栄養カテーテル内腔に貯留させる注入溶液、注入基本液（０．１％〜２％位の酢酸溶液）５〜１５ｍｌ位使用する。
【請求項２】
注入溶液を注入器に充填後滅菌消毒し透明なカバーで覆う。
【請求項３】
注入溶液、注入器の１回限りの使い捨てとする。
【発明の詳細な説明】
【０００１】本発明は、経管栄養カテーテルの栄養液注入後、現状では白湯、お茶などが注入されています。
その方法では、経管栄養カテーテル内腔の汚染、悪臭、感染などの問題点が見られるので、それらの問題点を解決するため、０．１％〜２％位の酢酸溶液を経管栄養カテーテルから注入しカテーテル内腔に貯留させるする事により静菌効果がえられる。その静菌効果により、経管栄養カテーテル内腔の汚染、悪臭、感染が軽減できる。
【発明開示】
【発明が解決しょうとする課題】
【０００２】経管栄養カテーテル挿入患者さんの経管栄養カテーテルから０．１％〜２％位の酢酸溶液を注入しカテーテル内腔に貯留させるする事により経管栄養カテーテル内腔の汚染、悪臭、感染予防する。
経管栄養カテーテル挿入患者さんの介護者の労力を軽減する。
経管栄養カテーテルの栄養液注入後の、注入溶液の準備操作不備による病原菌の混入を予防する。
【課題を解決するための手段】
【０００３】注入溶液（０．１〜２％位の酢酸）使用する。
注入溶液、注入器の滅菌消毒する。
注入溶液、注入器の１回限りの使い捨てとする。
注入溶液が間違って他の部位に注入されないため注入先の安全対策を行う。
【発明を実施するための最良の形態】
【０００４】経管栄養カテーテルに栄養液注入後の注入溶液０．１％〜２％位の酢酸溶液５〜１５ｍｌ位使用する。
注入溶液、注入器の滅菌消毒し、透明なカバーで覆う。
注入溶液、注入器の１回限りの使い捨てとする。
経管栄養カテール接続アダプターは、注射回路のジョイントに接続不可能なアダプターとする。
【手続補正書】
【提出日】平成16年11月1日(2004.11.1)
【手続補正１】
【補正対象書類名】特許請求の範囲
【補正対象項目名】全文
【補正方法】変更
【補正の内容】
【特許請求の範囲】
【請求項１】
経管栄養カテーテルの栄養液注入毎後の経管栄養カテーテル内腔に貯留させる注入溶液の、注入基本液（０．１％〜２％位の濃度の酢酸溶液）５〜１５ｍｌ位使用する。
【請求項２】
注入溶液を注入器に充填後滅菌消毒し透明なカバーで覆う。
【請求項３】
注入溶液、注入器は１回限りの使い捨てとする。
【請求項４】
経管栄養カテーテルの栄養液注入後の経管栄養カテーテル内腔に貯留させる注入溶液は、殺菌、除菌、静菌作用を有する液とする。
【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
経管栄養カテーテルの栄養液注入毎後の経管栄養カテーテル内腔に貯留させる注入溶液の、注入基本液（０．１％〜２％位の濃度の酢酸溶液）５〜１５ｍｌ位使用する。
【請求項２】
注入溶液を注入器に充填後滅菌消毒し透明なカバーで覆う。
【請求項３】
注入溶液、注入器は１回限りの使い捨てとする。
【請求項４】
経管栄養カテーテルの栄養液注入後の経管栄養カテーテル内腔に貯留させる注入溶液は、殺菌、除菌、静菌作用を有する液とする。
(57)【要約】      （修正有）【課題】痔で苦しむ人々の為に、日本古来の薬効能力を最大限利用した痔治療剤の提供。【解決手段】ナスのヘタ、その他の薬草から得られる痔治療用組成物。具体的にはナスのヘタを天日乾燥後、土鍋で蒸し焼き（黒焼き）にした後にすり鉢で粉砕し、他の薬草からの成分と混合して座薬として用いる。【選択図】なし【特許請求の範囲】
【請求項１】
痔に悩まされる人の為に、日本古来の方法にてナスのヘタ、その他の薬草によって痔の療法に用いる薬品の製造。
【発明の詳細な説明】
【技術分野】
【０００１】  本発明は痔ろうに悩む人々の為に開発した薬草剤である。
【背景技術】
【０００２】  従来の痔の療法には、病院での手術、温泉療法、市販薬などがあります。
【発明の開示】
【発明が解決しようとする課題】
【０００３】  以上に述べた従来の方法はなかなかよくならないのが実状です。本発明にて古来の療法により皆様の痔が少しでも善くなるよう思慮考察し、個人でも簡単に使用でき、尚且つ痔の改善をもたらす事を目的としたものです。
【課題を解決するための手段】
【０００４】  ナスのヘタ部分を切り落とし乾燥させます。乾燥期間は１週間〜１０日程天日に干します。土鍋に乾燥したナスのヘタを並べ、蓋をして蒸し焼き（黒焼き）にします。所要時間は３〜４時間。自然に冷ました後、すり鉢に移し粉になるまで潰します。こしきで粉のみを集め、ヴァセリン等の保湿クリーム、ビワの葉を粉にしたものと混ぜ合わせます。又、自然界にある薬草すべて混合する事も可能です。例えば、アロエ、ヨモギ、柿の葉、生姜、ニンニク、スギナ、ユキノシタ、ツルナ、はと麦、ゲンノショウコ、どくだみ、オオバコ、イチョウの葉等。
【発明の効果】
【０００５】  ２度３度クリームを使用する事により症状はよくなります。
【発明を実施するための最良の形態】
【０００６】  出来上がったクリームを適量指に取り、肛門内に挿入します。肛門の周りがクリームで汚れますので、ティッシュでキレイにふき取ります。２，３回程度の使用で痔はよくなります。再度痔の症状が出るようでしたら、また２，３回使用して様子を見ます。又、水虫やその他の症状の薬として使用できる可能性もあり、化粧品としても使用できます。
(57)【要約】【課題】  コンクリート工事により川底が平坦化されていても、魚の住みよい環境が得られその再生も容易となる河川用の魚巣ブロックを提供する。【解決手段】  河川の川底に上流から下流への流れに平行に設置する魚巣ブロックであって、天板の上流端に上流方向へ低く傾く斜面板を連設し、天板と斜面板の両方にわたって幅中央部に脚部片を垂設して、その脚部片の両側に魚類の住処となる空間が設けられ、脚部片の下端と斜面板の下端とが共に接地面となるように、その両方の下端面を同一若しくはほゞ同一の高さ位置に形成した。【選択図】    図１
2006070531.tif 000002
【特許請求の範囲】
【請求項１】
河川の川底に上流から下流への流れに平行に設置する魚巣ブロックであって、天板の上流端に上流方向へ低く傾く斜面板を連設し、天板と斜面板の両方にわたって幅中央部に脚部片を垂設して、その脚部片の両側に魚類の住処となる空間が設けられ、脚部片の下端と斜面板の下端とが共に接地面となるように、その両方の下端面を同一若しくはほゞ同一の高さ位置に形成したことを特徴とする河川用の魚巣ブロック。
【発明の詳細な説明】
【技術分野】
【０００１】
この発明は、川底に設置する河川用の魚巣ブロックに関する。
【背景技術】
【０００２】
河川には、フナ、コイ、アユ、ウグイ、ウナギ、ドジョウ、ナマズを始めとする様々な魚類が生息しているが、現在、護岸工事や河川改修、水質汚染、外来種の放流等の環境破壊により著しく減少する危機的傾向が観られる。また、これらにより生息できなくなった魚は、生活の場を一時海におくアユやマス等は別として、自然が未だ残る上流に生活の場を求めざるを得ないが、それができなければ種が絶えることになるという切実な問題がある。
【０００３】
護岸工事や河川改修の場合、水の流れが単純に一律化するために魚の住処や産卵の場所が無くなり、餌も獲られないことから、結局魚が居なくなってしまう。特に、コンクリートブロックを河岸ばかりでなく、川底にも敷き詰められると、ほとんどの魚は全く住めない環境となる。しかも、コンクリートの敷き詰めによる関係で、これを元の自然環境に戻すことは不可能に近い。そのため川魚が住める環境が徐々に狭められているのが現状である。
【発明の開示】
【発明が解決しようとする課題】
【０００４】
この発明は、上記のような実情に鑑みて、たとえ、コンクリート工事により川底が平坦化されていても、魚の住みよい環境が得られその再生も容易となる河川用の魚巣ブロックを提供することを課題とした。
【課題を解決するための手段】
【０００５】
上記の課題を解決するために、この発明は、河川の川底に上流から下流への流れに平行に設置する魚巣ブロックであって、天板の上流端に上流方向へ低く傾く斜面板を連設し、天板と斜面板の両方にわたって幅中央部に脚部片を垂設して、その脚部片の両側に魚類の住処となる空間が設けられ、脚部片の下端と斜面板の下端とが共に接地面となるように、その両方の下端面を同一若しくはほゞ同一の高さ位置に形成したことを特徴とする河川用の魚巣ブロックを提供するものである。
【０００６】
河川用の魚巣ブロックを上記のように構成したから、脚部片と斜面板との双方の下端で縦横の接地面ができるために安定した設置状態となる。そこで、斜面板を川上に向けた状態で川底に設置しておくと、水流が斜面板に乗り上げることになって魚巣ブロックが下方に押し付けられるから、水流により押し流されたり転倒したりすることはなく、魚巣として安定して位置を保持する。しかも、上流から漂流してくる枯枝等の夾雑物が斜面板から天板の上に水流とともに乗り上げて下流へ排出されるので、脚部片の両側の空間に入り込む不都合が防止される。また、たとえ夾雑物や砂利、石等が入ったとしても、両側の速い水流に吸引されることにより排除されるため、空間が魚の安定した住処として保持される。
【発明の効果】
【０００７】
以上説明したように、この発明の河川用の魚巣ブロックによれば、設置が容易であるにもかかわらず水流により押し流されたり転倒されたりする不都合が防止され、魚類の住処とする空間が安全に保持され、たとえ、コンクリート工事により川底が平坦化されていても、魚の住みよい環境が得られそれを容易に蘇らせ得るという優れた効果がある。
【発明を実施するための最良の形態】
【０００８】
次に、この発明の実施形態を図面に基づいて説明する。
【０００９】
図面は一実施の形態を示したもので、その河川用の魚巣ブロックＰは、コンクリートにより成形したもので、その形状については、天板１の上流端に下流への上り斜面板３を連設し、幅中央部に天板１と斜面板３との両方にわたって脚部片５が垂設され、その両側に空間７，７を有する。また、脚部片５と斜面板３の両方の下端面９，１０がＴ字形の交差において同一面に形成される。
【００１０】
縦横交差の下端面９，１０の接地により転倒しないように安定して設置されるが、設置においては斜面板３を上流側にしておくもので、そうすれば、水の勢い
が斜面板３に乗り上がって逃げ、且つ、魚巣ブロックが下方に押し付けられるので、水流が強くなっても押し流されたり転覆されたりするような不都合が防止される。
【００１１】
内部の空間７，７について見ると、斜面板３により水の勢いが阻止されて静かであるので、そこを魚類が安全な住処とすることができる。さらに、川底がコンクリート等で平坦であると、その空間７，７がそのまま保持されやすいが、砂利、石等の川底であっても、斜面板３によってそれらの流入が阻止され、また、枯枝等の夾雑物の流入も阻止される。
【００１２】
しかも、斜面板３により水の流れが両側に変向されることにより、両側に比較的速い水流Ｆ，Ｆが生じここが流速で水圧が低めとなるため、入った土砂や石、夾雑物が外側の速い水流Ｆ，Ｆに巻き込まれるように吸引して排除され、このことによっても、空間７，７が埋まることなく魚が安心する住処となる。
【００１３】
なお、脚部片５を突条に形成したが、左右空間７，７に魚が交流し得るようにそれに切欠や抜穴を設けることもあるし、また、脚部片５や斜面板３の下端面９，１０に設置箇所に食い込むように部分的に突部を形成することもある。
【図面の簡単な説明】
【００１４】
【図１】この発明の一実施形態を示す河川用の魚巣ブロックの斜視図である。
【図２】同河川用の魚巣ブロックの側面図である。
【図３】図２のＡ−Ａ線矢視の断面図である。
【符号の説明】
【００１５】
Ｐ  河川用の魚巣ブロック
１  天板
３  斜面板
５  脚部片
７  空間
９  脚部片の下端面
１０  斜面板の下端面
【図１】
2006070531.tif 000003
【図２】
2006070531.tif 000004
【図３】
2006070531.tif 000005
(57)【要約】【課題】センサーの動作が安定し、外観も美麗な笠木を提案する。【解決手段】塀の上端に設置される笠木であって、基体の中央に長手方向に亘って長尺の感圧センサーが設けられ、この感圧センサーの両側に一対の弾発装置が設けられ、この弾発装置に上部部材が支持されこの上部部材に力がかかったときに感圧センサーが適宜信号を出力するようになされていることを特徴とするもので、上部部材にかかる荷重の位置に拘わらず安定した信号を出力するので、センサーの感度の設定が正確にでき、犬や猫などが笠木上に載った程度の荷重では動作せず、人間が笠木上に載ったときに正確に動作させることができる。【選択図】        図３
2006070593.tif 000002
【特許請求の範囲】
【請求項１】
塀の上端に設置される笠木であって、基体の中央に長手方向に亘って長尺の感圧センサーが設けられ、この感圧センサーの両側に一対の弾発装置が設けられ、この弾発装置に上部部材が支持されこの上部部材に力がかかったときに感圧センサーが適宜信号を出力するようになされていることを特徴とする笠木。
【発明の詳細な説明】
【技術分野】
【０００１】
本発明は、住宅や店舗などの周囲に配設される塀の上端に設置される笠木に関し、特に侵入者があったことを検知することができるセンサーを内蔵した笠木に関する。
【背景技術】
【０００２】
【特許文献１】実開昭５２−７１２４６号公報  実開昭５２−７１２４６号公報には、フェンス本体を構成する上側横桟を打ち外枠にて構成し、且つこの内外枠を外枠が常にバネにて上方向に弾圧されるよう組合せこの外枠に一定以上の荷重が加わった際、バネ力に抗して外枠が押し下がって動作する警報用スイッチを前記横桟内に収納し、且つこれらを１スパンとして任意スパン数連結するとともに各スパンのスイッチを接続する電線を前記上横桟内に通してなるフェンスが提案されている。
【発明の開示】
【発明が解決しようとする課題】
【０００３】
しかしながら、上記実開昭５２−７１２４６号公報に記載のフェンスでは、侵入者を検知するマイクロスイッチと外枠を弾発するバネの位置が外枠の長手方向で離れた位置に設けられているので、侵入者が外枠にふれる位置によってマイクロスイッチの動作が安定しないという問題があった。
【０００４】
そこで本発明者は従来の欠点に鑑み鋭意研究の結果、センサーの動作が安定し、外観も美麗な笠木を提案する。
【課題を解決するための手段】
【０００５】
本発明笠木は、塀の上端に設置される笠木であって、基体の中央に長手方向に亘って長尺の感圧センサーが設けられ、この感圧センサーの両側に一対の弾発装置が設けられ、この弾発装置に上部部材が支持されこの上部部材に力がかかったときに感圧センサーが適宜信号を出力するようになされていることを特徴とするもので、上部部材にかかる荷重の位置に拘わらず安定した信号を出力するので、センサーの感度の設定が正確にできる。
【発明の効果】
【０００６】
上述の如く、本発明笠木は、塀の上端に設置される笠木であって、基体の中央に長手方向に亘って長尺の感圧センサーが設けられ、この感圧センサーの両側に一対の弾発装置が設けられ、この弾発装置に上部部材が支持されこの上部部材に力がかかったときに感圧センサーが適宜信号を出力するようになされていることを特徴とするもので、上部部材にかかる荷重の位置に拘わらず安定した信号を出力するので、センサーの感度の設定が正確にでき、犬や猫などが笠木上に載った程度の荷重では動作せず、人間が笠木上に載ったときに正確に動作させることができる。
【発明を実施するための最良の形態】
【０００７】
以下、図面を参照しながら本発明に付いて説明する。
図１は本発明笠木を頂部に配設したブロック塀の正面図であり、図２は側面図である。図に於いてａはブロック塀であり、その頂部に笠木ｂが載置されている。
【０００８】
図３は笠木のＡ−Ａ方向の断面図であり、図４はＢ−Ｂ方向の断面図であり、図５はＣ−Ｃ断面図である。図に於いて、笠木は基体１と上部部材２からなり、基体１の中央には長手方向の全長に亘って長尺の感圧センサー３が設けられている。この感圧センサー３の両側には板バネ４が設けられて弾発装置となされている。この板バネ４の上に上部部材２が載置され、板バネ４の弾発力により支持されている。又、上部部材２の中央には適宜間隔をおいて突起が設けられてセンサー押さえ５となされている。
【０００９】
図６は笠木の上部部材２に荷重が負荷されたときの状態を示す笠木のＡ−Ａ方向の断面図であり、上部部材２に荷重が負荷されると上部部材２の内面に２カ所設けられた当接部２１が板バネ４を押し下げ、上部部材２中央に設けられたセンサー押さえ５が感圧センサー３を押圧する。
【００１０】
感圧センサー３はコード状で、圧力が加えられると電気抵抗の変化を生じこの抵抗の変化により笠木への荷重の負荷を検知するようになされている。
【００１１】
本発明における笠木の基体１と上部部材２は、剛性が高く耐久性に優れたアルミ合金型材が好適に用いられるが、これに限るものではなく、合成樹脂を押し出し成型した型材などが用いられてもよいし、鋼板などの金属板を折曲して作製されてもよい。
【００１２】
本発明における弾発装置としては前記した板バネなどの金属バネが好適に用いられるが、弦巻バネなどでもよいし、ゴムや軟質合成樹脂などの弾性材料が用いられてもよい。
【図面の簡単な説明】
【００１３】
【図１】本発明笠木の使用状態の一例を示す塀の正面図である。
【図２】本発明笠木の使用状態の一例を示す塀の側面図である。
【図３】本発明笠木の実施形態の一例を示すＡ−Ａ方向の断面図である。
【図４】本発明笠木の実施形態の一例を示すＢ−Ｂ方向の断面図である。
【図５】本発明笠木の実施形態の一例を示すＣ−Ｃ方向の断面図である。
【図６】本発明に於いて、笠木の上部部材に荷重が負荷されたときの状態を示す笠木のＡ−Ａ方向の断面図である。
【符号の説明】
【００１４】
１    基体
２    上部部材
２１  当接部
３    感圧センサー
４    板バネ
５    センサー押さえ
ａ    ブロック塀
ｂ    笠木
【図１】
2006070593.tif 000003
【図２】
2006070593.tif 000004
【図３】
2006070593.tif 000005
【図４】
2006070593.tif 000006
【図５】
2006070593.tif 000007
【図６】
2006070593.tif 000008
(57)【要約】【課題】夜間において防音壁の出入口を認識するのが容易となる防音壁出入口表示板を提供する。【解決手段】防音壁の出入口付近に自発光体２を備えた表示面１が設置されることで、表示面１に配置された自発光体２により夜間においても出入口表示板１０を容易に認識することができるが、更に防音壁の出入口を示す逆三角形の形状Ｇと相似形状の線Ｌ上に自発光体が配置されていることで、遠方から視認しても出入口を意味する形状として認識でき、夜間においても防音壁の出入口を容易に認識することができる。【参照図】        図２【特許請求の範囲】
【請求項１】
矩形の表示面に逆三角形が描画され、防音壁の出入口付近に設置された表示板であって、更に表示板面に、前記逆三角形の外縁と相似形状となる線上に自発光体が配置されていることを特徴とする防音壁出入口表示板。
【発明の詳細な説明】
【技術分野】
【０００１】
本発明は、道路の側縁に沿って設置された防音壁に設けられ、出入口の設置場所を表示する防音壁出入口表示板に関するものである。
【背景技術】
【０００２】
道路の側縁に沿って延設され、周囲への騒音の伝播を防止する防音壁には、防音壁の延設距離が長くなると、道路管理者が車道側と民地側とを行き来する出入口が設けられる。かかる出入口は、一般に特許文献１や特許文献２に示される如く、周囲の防音パネルと外観上違和感がないよう、また出入口部分での防音性能の低下を抑制できるよう、遮音性や吸音性が具備された扉状の形状となされている。かかる出入口には、一般に５００ｍｍ角の表示板に、白地に赤色で逆三角形が描画された出入口表示板が設けられ、道路管理者が出入口の存在を認識して円滑な作業を行うことができるようになされている。
【０００３】
【特許文献１】特開２００４−２１１４５８号公報
【特許文献２】特開昭５８−７６６１６号公報
【発明の開示】
【発明が解決しようとする課題】
【０００４】
しかしながら、従来の出入口表示板は、単なる塗装や、再帰反射シートなどを用いて描画されているものであり、夜間において視認し辛いものであった。道路の管理は、車両の通行量の少ない夜間に行われることが多く、夜間において出入口周辺に照明灯や、通行する車両の前照灯の光等がない場合には、出入口の存在が判りにくく管理作業に支障を来す恐れがあった。また、一般に出入口は５００ｍ毎に設置されるものであり、道路管理者が懐中電灯等の光源を携帯している場合でも、目的とする出入口が遠隔の場所にあると、出入口表示板が視認できない恐れがあった。
【０００５】
本発明は上記の如き課題に鑑みてなされたものであり、夜間において防音壁の出入口を認識するのが容易となる防音壁出入口表示板を提供せんとするものである。
【課題を解決するための手段】
【０００６】
上記目的を達成するため、本発明は以下のような構成としている。すなわち、本発明に係わる防音壁出入口表示板は、矩形の表示面に逆三角形が描画され、防音壁の出入口付近に設置された表示板であって、更に表示板面に、前記逆三角形の外縁と相似形状となる線上に自発光体が配置されていることを特徴とするものである。
【発明の効果】
【０００７】
本発明に係わる防音壁出入口表示板によれば、防音壁の出入口付近に設置することで、表示面に配置された自発光体により夜間においても出入口表示板を容易に認識することができるが、更に防音壁の出入口を示す逆三角形の形状に自発光体が配置されていることで、遠方から視認しても出入口を意味する形状として認識でき、夜間においても防音壁の出入口を容易に認識することができる。
【発明を実施するための最良の形態】
【０００８】
本発明に係わる最良の実施の形態について、図面に基づき以下に具体的に説明する。
【０００９】
図１は、本発明に係わる防音壁出入口表示板の、実施の一形態を示す説明図である。道路Ｒの側縁に防音壁Ｗが立設され、防音壁Ｗは道路の延びる方向に沿って延設されている。防音壁Ｗは４ｍの間隔をおいて立設されたＨ型鋼からなる支柱Ｓ間に、吸音性を具備した防音パネルＰが差し渡されて取り付けられることで形成されている。防音壁の出入口として、支柱Ｓ間に防音パネルＰに替えて引き違い扉が設けられた出入口パネルＴが取り付けられ、出入口パネルＴを用いて道路管理者が車道側αと民地側βとを行き来できるようになされている。出入口パネルＴが取り付けられた支柱Ｓ１に、防音壁Ｗの上端より更に表示面１が突出されるように防音壁出入口表示板１０が取り付けられ、表示面１が車道側α及び民地側βの両方から視認できるようになされている。
【００１０】
図２は、防音壁出入口表示板１０の詳細を示す斜視図である。防音壁出入口表示板１は、矩形で白地に赤色の逆三角形Ｇが描画された表示面１と、両面に表示面１が設けられている金属製の駆体３と、駆体３上面に設けられ太陽光の照射により電力を生起する太陽電池４と、支柱Ｓへの取り付けを行う支持部材５とを備え、昼間においては描画された逆三角形Ｇにより出入口であることが示される。
【００１１】
更に表示面１には、描画された逆三角形Ｇの外側に当該逆三角形Ｇと相似形状となされた線Ｌ上に、ＬＥＤである自発光体２が等間隔をおいて配置され、夜間において自発光体２が発光することで、その近傍に防音壁Ｗの出入口があることが認識される。自発光体２は、昼間に太陽電池４により生起された電力が、駆体３内に収納された蓄電池（図示せず）に蓄電され、その蓄電された電力により発光し外部電力に頼ることがないようになされている。
【００１２】
自発光体２は、ＬＥＤの他に、ハロゲンランプ、メタルハライドランプ、キセノンランプ、冷陰極管、蛍光管等を用いることができ、これらの光源を逆三角形に配置して用いてもよいが、ＬＥＤは光源としての寿命が長く、また光線の指向性が強く遠方からや悪天候時の高い視認性を得ることができ、好適に用いることができる。また自発光体２は常時点灯させてもよいが、点滅させることで自発光体２を能動的に視認させることができ、視認性を更に高めることができ好ましい。
【００１３】
表示面１は、逆三角形が描画されていれば特に限定されるものではなく、従来の塗装された金属板や、金属板に再帰反射シートを貼着したもの等、適宜のものを用いることができる。また太陽電池４や蓄電池等についても適宜の公知のものを用いることができる。
【図面の簡単な説明】
【００１４】
【図１】本発明に係わる防音壁出入口表示板の、実施の一形態を示す説明図である。
【図２】本発明に係わる防音壁出入口表示板の、実施の一形態を示す斜視図である。
【符号の説明】
【００１５】
１    表示面
２    自発光体
１０  防音壁出入口表示板
Ｇ    逆三角形
Ｗ    防音壁
Ｔ    出入口パネル（出入口）
【図１】
2006070479.tif 000002
【図２】
2006070479.tif 000003
(57)【要約】【課題】  ズボンの裾の部分が踵の下に入ったり、ズボンの形状が崩れたり、汚れたり、雨水が下着や靴下や靴に浸入したりするのを防ぐ器具を提供する。【解決手段】  器具を下肢に取り付けることによって、下肢主に足首からズボンまでの距離を調整する。【選択図】  図１
2006070414.tif 000002
【特許請求の範囲】
【請求項１】
ズボンの形状が崩れる事を防ぐ、下肢主に足首の周辺に着ける器具。
【請求項２】
ズボンの主に裾の部分が踵の下に入る事を防ぐ、下肢主に足首の周辺に着ける器具。
【請求項３】
レインコートやレインウェアなどの雨具を着用時には、雨水が下着や靴下や靴に入るのを防ぐ、下肢主に足首の周辺に着ける器具。
【請求項４】
自動車やオートバイや自転車などの乗り物に乗車中に、ズボンの主に裾の部分がブレーキ、クラッチ、アクセル、チェーンなどへの接近を防ぐ、下肢主に足首の周辺に着ける器具。
【発明の詳細な説明】
【技術分野】
【０００１】本発明は、下肢主に足首の周辺に器具を取り付けることにより、ズボンの主に裾の部分が踵の下に入る事やズボンの形状が崩れる事を防ぐようにしたものである。また、レインコートやレインウェアなどの雨具を着用時には、雨水が下着や靴下や靴に入るのを防ぐようにしたものである。そしてまた、自動車やバイクや自転車などの乗り物に乗車中には、ズボンの主に裾の部分がブレーキ、クラッチ、アクセル、チェーンなどへの接近を防ぐようにしたものである。ここで言うズボンとは、パンツ、ジーンズ、スラックス、トラウザーズ、チノパン、ジャージ、スエット、ワークパンツ、ペインターパンツ、オーバーオール、スパッツ、カルソン、レインコート、レインウェアなどのすべての下着をいう。
【背景技術】
【０００２】従来は、本目的による下肢主に足首の周辺につける器具は無かった。
【発明の開示】
【発明が解決しようとする課題】
【０００３】従来、ズボンの丈の長さによっては時としてズボンの形状が崩れる事やズボンの主に裾の部分が踵の下に入る事により、ズボンを美しく着こなすのが難しかった。靴を履いていない時は、踵と床の間に裾の部分が入り、靴を履いている時は、靴と踵周辺に裾が入ることがあった。また、サンダル、ミュール、バックストラップなどを履いた時は、裾の部分が踵と履物の間を出入りしていた。特に、歩いたり走ったりなど身体を動かすと、裾が踵の下に入り込み、ズボンだけでなく靴下までもが、汚れたり形状が崩れたりして皺になったりもしていた。こういう諸問題の為、不快な気分になる事や筋肉痛になる事があった。雨具を着用時には、雨水が下着や靴下や靴に入ったりしていた。自動車やオートバイや自転車などの乗り物に乗車中には、ズボンの主に裾の部分がブレーキ、クラッチ、アクセル、チェーンなどへ接近し、汚れるだけに止まらず危険な状況に陥ったりしていた。上記のような事柄により、精神的並び肉体的ストレスを感じることがあった。本発明は、この課題を解消するためになされたものである。
【発明を解決するための手段】
【０００４】器具１、４、５を下肢３に取り付けることにより、下肢３主に足首からズボン２までの距離を調整できるようにした。〔図１〕のように、下肢とほぼ垂直方向に円形もしくは楕円形の器具１を下肢３に着けると、一定以上にズボン２が下肢３主に足首に近づかないため、〔図２〕よりズボン２の形状を崩す事が減少し、雨具着用時には雨水が下着や靴下や靴に入るのを防ぐ。〔図３〕のように、下肢３後方（アキレス腱側）に器具４を取り付けると、〔図４〕よりもズボン２の後方の裾が下肢３から離れるため、ズボン２の裾が踵の下に入りにくくなる。〔図５〕のように、下肢３の外側方（外果側）に器具５を取り付けると〔図６〕よりもズボン２の外方（外果側）が下肢３主に足首に近づかないため、相対的にズボン２の内方（内果側）が下肢３主に足首に近づく。その結果、下肢３の外側方（外果側）に器具５を取り付けると、オートバイや自転車乗車中にズボンの内方（内果側）に位置するチェーン等にズボン２の裾が近づかないため、汚れたり危険にさらされたりする事が減少する。この器具１，４，５は、あくまでも一例であり、目的に応じてこの器具は使用形態が変わるので、器具の形、型、大きさ、素材に関わり無く本目的を満たすすべての器具を含むものとする。この器具と下肢との接合方法や部品は任意とする。また、ズボン２に直接本目的の器具が付加しているものも含む。
【発明の効果】
【０００５】この器具を利用すると、ズボンの形状が崩れにくいためファッション性に優れ、精神的並びに肉体的なストレスを減少させる。また、洗濯、アイロン当て、クリーニング等の回数が減り、資源の節約、時間の節約、コスト削減にもつながる。ズボンは傷みにくくなるため、着用期間が延びることも考えられる。また、雨具着用時に使用すると、雨水が下着や靴下や靴に入るのを防ぐため、感冒症状などの病気の発症を抑えることも可能となる。そしてまた、自動車やオートバイや自転車などの乗り物に乗車中には、この器具により、ズボンの主に裾の部分のブレーキ、クラッチ、アクセル、チェーンなどへの接近を防ぐため、危険防止にもなる。やさしく地球と付き合え、ファッション性に優れ、健康的で、危険防止にもなる優れものと考えられる。
【図面の簡単な説明】
【０００６】
【図１】歩行中の本発明の正面図である。
【図２】本発明を使用しないときの正面図である。
【図１】との比較を示す。
【図３】つま先歩きをした時の本発明の正面図である。
【図４】本発明を使用しないときの正面図である。
【図３】との比較を示す。
【図５】起立時の本発明の正面図である。
【図６】本発明を使用しないときの正面図である。
【図５】との比較を示す。
【符号の説明】
【０００７】１  器具Ａ
２  ズボン
３  下肢
４  器具Ｂ
５  器具Ｃ
【図１】
2006070414.tif 000003
【図２】
2006070414.tif 000004
【図３】
2006070414.tif 000005
【図４】
2006070414.tif 000006
【図５】
2006070414.tif 000007
【図６】
2006070414.tif 000008
【手続補正書】
【提出日】平成16年11月24日(2004.11.24)
【手続補正１】
【補正対象書類名】明細書
【補正対象項目名】０００６
【補正方法】変更
【補正の内容】
【０００６】
【図１】                歩行中の本発明の正面図である。
【図２】                本発明を使用しないときの正面図である。
【図３】                つま先歩きをした時の本発明の正面図である。
【図４】                本発明を使用しないときの正面図である。
【図５】                起立時の本発明の正面図である。
【図６】                本発明を使用しないときの正面図である。